(57)【特許請求の範囲】
【請求項１】
ゴム栓によって瓶口が閉塞されている薬用瓶の蓋であって、当該瓶口に冠着可能な逆有底円筒状のアルミ等の金属薄板からなる口金と、該口金の上部に冠着可能な逆有底円筒状の合成樹脂製の固定用蓋部材と、前記口金の上面に載置可能な円盤状の合成樹脂製の嵌着用蓋部材との組み合せからなり、
前記口金は、円筒体からなる周胴部の上面に頂面板を一体的に形成することにより構成され、前記頂面板にはその中央部に円形の透孔が穿設され、当該円形の透孔の周縁部には、上方に向かって延在する円筒状の立上げ部が形成され、
前記固定用蓋部材は、円筒体からなる周胴部の上面に頂面板を一体的に形成することにより構成され、当該頂面板の下面側の中央部には、当該固定用蓋部材を前記口金に冠着させた際に当該口金の前記透孔に挿入可能な円筒体であってその外周方向に折り曲げ可能な固定用円筒部が形成され、
前記嵌着用蓋部材の下面側の中央部には、当該嵌着用蓋部材を前記口金上に載置させた際に当該口金の前記立上げ部内の前記透孔に挿入可能な円筒体で、その長さが前記立上げ部の高さ未満の長さである円筒体であって且つ前記立上げ部の内壁面と着脱可能に係合する係止手段を有する係止用円筒部が形成され、
前記固定用蓋部材の頂面板の上面側の中央部には、その上部に前記嵌着用蓋部材を載置させた際に、前記係止用円筒部が嵌合可能な円形溝部が形成されていることを特徴とする薬用瓶の蓋。
【請求項２】
前記嵌着用蓋部材の前記係止手段を有する係止用円筒部は、その断面が、前記嵌着用蓋部材の下面から離れるに従って前記係止用円筒部の外周方向に広がるような台形形状に形成されている係止用円筒部であることを特徴とする請求項１に記載の薬用瓶の蓋。
【請求項３】
前記嵌着用蓋部材の前記係止手段を有する係止用円筒部は、該係止用円筒部の端縁部に外周方向に延在するように係止用リム部が形成されている係止用円筒部であることを特徴とする請求項１に記載の薬用瓶の蓋。
【請求項４】
ゴム栓によって瓶口が閉塞されている薬用瓶の蓋であって、当該瓶口に冠着可能な逆有底円筒状のアルミ等の金属薄板からなる口金と、該口金の上部に冠着可能な逆有底円筒状の合成樹脂製の固定用蓋部材と、前記口金の上面に載置可能な円盤状の合成樹脂製の嵌着用蓋部材との組み合せからなり、
前記口金は、円筒体からなる周胴部の上面に頂面板を一体的に形成することにより構成され、前記頂面板にはその中央部に円形の透孔が穿設され、当該円形の透孔の周縁部には、上方に向かって延在する円筒状の立上げ部が形成され、
前記固定用蓋部材は、円筒体からなる周胴部の上面に頂面板を一体的に形成することにより構成され、当該頂面板の下面側の中央部には、当該固定用蓋部材を前記口金に冠着させた際に当該口金の前記透孔に挿入可能な円筒体であってその外周方向に折り曲げ可能な固定用円筒部が形成され、
前記嵌着用蓋部材の下面側の中央部には、当該嵌着用蓋部材を前記口金上に載置させた際に当該口金の前記立上げ部と係合可能な円型状凹部が形成され、
前記固定用蓋部材の頂面板の上面側の中央部には、前記口金の立上げ部と略同じ大きさの円筒状突起部が形成されていることを特徴とする薬用瓶の蓋。
【請求項５】
ゴム栓によって瓶口が閉塞されている薬用瓶の蓋であって、当該瓶口に冠着可能な逆有底円筒状のアルミ等の金属薄板からなる口金と、該口金の上部に冠着可能な逆有底円筒状の合成樹脂製の固定用蓋部材と、前記口金の上面に載置可能な円盤状の合成樹脂製の嵌着用蓋部材との組み合せからなり、
前記口金は、円筒体からなる周胴部の上面に頂面板を一体的に形成することにより構成され、前記頂面板にはその中央部に円形の透孔が穿設され、当該円形の透孔の周縁部には、上方に向かって延在する円筒状の立上げ部が形成され、
前記固定用蓋部材は、円筒体からなる周胴部の上面に頂面板を一体的に形成することにより構成され、当該頂面板の下面側の中央部には、当該固定用蓋部材を前記口金に冠着させた際に当該口金の前記透孔に挿入可能な円筒体であってその外周方向に折り曲げ可能な固定用円筒部が形成され、
前記嵌着用蓋部材の下面側の中央部には、当該嵌着用蓋部材を前記口金上に載置させた際に当該口金の前記立上げ部に嵌合可能な円状の溝である嵌合溝部が形成され、
前記固定用蓋部材の頂面板の上面側の中央部には、前記口金の立上げ部と略同じ大きさの円筒状突起部が形成されていることを特徴とする薬用瓶の蓋。
【請求項６】
ゴム栓によって瓶口が閉塞されている薬用瓶の蓋であって、当該瓶口に冠着可能な逆有底円筒状のアルミ等の金属薄板からなる口金と、該口金の上部に冠着可能な逆有底円筒状の合成樹脂製の蓋用ベース部材と、該蓋用ベース部材の上部に冠着可能な逆有底円筒状の合成樹脂製の固定用蓋部材と、前記蓋用ベース部材の上面に載置可能な円盤状の合成樹脂製の嵌着用蓋部材との組み合せからなり、
前記口金は、円筒体からなる周胴部の上面に頂面板を一体的に形成することにより構成され、前記頂面板にはその中央部に円形の透孔が穿設され、
前記蓋用ベース部材は、円筒体からなる周胴部の上面に頂面板を一体的に形成することにより構成され、当該頂面板の下面側の中央部には、当該蓋用ベース部材を前記口金に冠着させた際に当該口金の透孔に挿入可能な円筒体であってその外周方向に折り曲げ可能な固定用円筒部が形成され且つ当該固定用円筒部の内側の上部にあたる頂面板は切除されて透孔が形成されており、
前記固定用蓋部材は、円筒体からなる周胴部の上面に頂面板を一体的に形成することにより構成され、当該頂面板の下面側の中央部には、当該固定用蓋部材を前記蓋用ベース部材に冠着させた際に当該蓋用ベース部材の透孔に挿入可能な円筒体であってその外周方向に折り曲げ可能な固定用円筒部が形成され、
前記嵌着用蓋部材の下面側の中央部には、当該嵌着用蓋部材を前記蓋用ベース部材上に載置させた際に当該蓋用ベース部材の透孔に挿入可能な円筒体で、その長さが前記ベース部材の前記透孔の深さ未満の長さである円筒体であって且つ前記蓋用ベース部材の透孔の周縁部と着脱可能に係合する係止手段を有する係止用円筒部が形成され、
前記固定用蓋部材の頂面板の上面側の中央部には、その上部に前記嵌着用蓋部材を載置させた際に、前記係止用円筒部が嵌合可能な円形溝部が形成されていることを特徴とする薬用瓶の蓋。
【請求項７】
前記嵌着用蓋部材の前記係止手段を有する係止用円筒部は、その断面が、前記嵌着用蓋部材の下面から離れるに従って前記係止用円筒部の外周方向に広がるような台形形状に形成されている係止用円筒部であることを特徴とする請求項６に記載の薬用瓶の蓋。
【請求項８】
前記嵌着用蓋部材の前記係止手段を有する係止用円筒部は、該係止用円筒部の端縁部に外周方向に延在するように係止用リム部が形成されている係止用円筒部であることを特徴とする請求項６に記載の薬用瓶の蓋。
【請求項９】
前記蓋用ベース部材の固定用円筒部の長さは、前記固定用蓋部材の固定用円筒部の長さよりも長い長さに選ばれていることを特徴とする請求項６に記載の薬用瓶の蓋。
【発明の詳細な説明】
【技術分野】
【０００１】
本発明は、注射剤等の薬液を収納する薬用瓶の瓶口に装着する薬用瓶の蓋に関するものである。
【背景技術】
【０００２】
注射剤等の薬液を収納しその瓶口が注射針の挿通可能なゴム栓によって閉塞されている薬用瓶に装着されている従来の蓋の構成について、以下、図２０，図２１を用いて説明する。
【０００３】
この薬用瓶の蓋は、図２１に示すように、アルミ等の軟質金属薄板によって逆有底円筒状に形成した口金１０と、前記口金１０の上半部に冠着させることのできる合成樹脂製の固定用蓋部材２０との組み合わせによって構成されている。
【０００４】
口金１０は、適宜の高さをした周胴部１１の上面に頂面板１２を一体的に形成することによって逆有底円筒状に形成されている。
【０００５】
１３は頂面板１２の中央部に穿設した透孔であり、図２０に示すように、この透孔１３を通して薬用瓶１の瓶口１ａに嵌装したゴム栓３の上面が露出できるようになっている。
【０００６】
口金１０の上面に冠着する固定用蓋部材２０は、適宜の硬度を有する合成樹脂を用いて形成するものであり、円筒状の周胴部２１を口金１０の周胴部１１に少しだけかぶすことができるよう浅い倒皿状となるように形成している。
【０００７】
固定用蓋部材２０の下面側の中央部には、図２０に示すように、口金１０の頂面板１２に穿設した透孔１３の周縁部に当接しながら折り曲げ係止することができる円筒状の固定用円筒部２３が突設されていて、この固定用円筒部２３を透孔１３に嵌合させた後、口金１０の内側から折り曲げ加圧して押し広げながら倒伏させることによって固定用蓋部材２０を口金１０に係止させた状態にすることができる。
【０００８】
このように、口金１０に係止されている固定用蓋部材２０は、薬液２の使用に際しては、図２２に示すように口金１０から外すことが出来るように構成されている。
【発明の概要】
【発明が解決しようとする課題】
【０００９】
現在、病院等の医療機関においては、同じ病状の複数の患者に同一の薬液を投与する場合には、それぞれの患者に対して、それぞれの必要量の薬液２が入っている薬用瓶１を、１人１つの割合で消費している。
【００１０】
しかしながら、医療費の高騰を抑える観点から、現在は、病院等の医療機関においては、同一の薬液２を複数の患者に投与する場合には、１つの薬用瓶１に入っている薬液２を複数の患者に投与するという薬用瓶１内の薬液２の多数回使用を図る必要性が生じている。この場合、初めに図１８に示したように口金１０から固定用蓋部材２０を外して、ゴム栓３に注射針を挿通させ適量の薬液２を注射器内に移動させて注射針を抜いた後、次回の使用まで薬用瓶１を冷蔵庫等に入れて保管しなければならない。
【００１１】
ここで、従来の薬用瓶の固定用蓋部材２０は、一旦外すと口金１０に係止させることが出来ないために、従来の薬用瓶を用いた場合には、ゴム栓３の上面が露出した状態で冷蔵庫等に保管されることになり、もし冷蔵庫等の内部でゴム栓３の上面が汚染されてしまった場合には、その後の使用に際してゴム栓３に挿通させる注射針ひいては使用される薬液自体が汚染されてしまう虞があった。
【課題を解決するための手段】
【００１２】
以上の問題点を解消するために、本発明の第１の手段は、ゴム栓によって瓶口が閉塞されている薬用瓶の蓋であって、当該瓶口に冠着可能な逆有底円筒状のアルミ等の金属薄板からなる口金と、該口金の上部に冠着可能な逆有底円筒状の合成樹脂製の固定用蓋部材と、前記口金の上面に載置可能な円盤状の合成樹脂製の嵌着用蓋部材との組み合せからなり、前記口金は、円筒体からなる周胴部の上面に頂面板を一体的に形成することにより構成され、前記頂面板にはその中央部に円形の透孔が穿設され、当該円形の透孔の周縁部には、上方に向かって延在する円筒状の立上げ部が形成され、前記固定用蓋部材は、円筒体からなる周胴部の上面に頂面板を一体的に形成することにより構成され、当該頂面板の下面側の中央部には、当該固定用蓋部材を前記口金に冠着させた際に当該口金の前記透孔に挿入可能な円筒体であってその外周方向に折り曲げ可能な固定用円筒部が形成され、前記嵌着用蓋部材の下面側の中央部には、当該嵌着用蓋部材を前記口金上に載置させた際に当該口金の前記立上げ部内の前記透孔に挿入可能な円筒体で、その長さが前記立上げ部の高さ未満の長さである円筒体であって且つ前記立上げ部の内壁面と着脱可能に係合する係止手段を有する係止用円筒部が形成され、前記固定用蓋部材の頂面板の上面側の中央部には、その上部に前記嵌着用蓋部材を載置させた際に、前記係止用円筒部が嵌合可能な円形溝部が形成されていることを特徴とするものである。ここで、前記嵌着用蓋部材の前記係止手段を有する係止用円筒部は、その断面が、前記嵌着用蓋部材の下面から離れるに従って前記係止用円筒部の外周方向に広がるような台形形状に形成されている係止用円筒部であってもよいし、また前記嵌着用蓋部材の前記係止手段を有する係止用円筒部は、該係止用円筒部の端縁部に外周方向に延在するように係止用リム部が形成されている係止用円筒部であってもよい。
【００１３】
また、本発明の第２の手段は、ゴム栓によって瓶口が閉塞されている薬用瓶の蓋であって、当該瓶口に冠着可能な逆有底円筒状のアルミ等の金属薄板からなる口金と、該口金の上部に冠着可能な逆有底円筒状の合成樹脂製の固定用蓋部材と、前記口金の上面に載置可能な円盤状の合成樹脂製の嵌着用蓋部材との組み合せからなり、前記口金は、円筒体からなる周胴部の上面に頂面板を一体的に形成することにより構成され、前記頂面板にはその中央部に円形の透孔が穿設され、当該円形の透孔の周縁部には、上方に向かって延在する円筒状の立上げ部が形成され、前記固定用蓋部材は、円筒体からなる周胴部の上面に頂面板を一体的に形成することにより構成され、当該頂面板の下面側の中央部には、当該固定用蓋部材を前記口金に冠着させた際に当該口金の前記透孔に挿入可能な円筒体であってその外周方向に折り曲げ可能な固定用円筒部が形成され、前記嵌着用蓋部材の下面側の中央部には、当該嵌着用蓋部材を前記口金上に載置させた際に当該口金の前記立上げ部と係合可能な円型状凹部が形成され、前記固定用蓋部材の頂面板の上面側の中央部には、前記口金の立上げ部と略同じ大きさの円筒状突起部が形成されていることを特徴とするものである。
【００１４】
また、本発明の第３の手段は、ゴム栓によって瓶口が閉塞されている薬用瓶の蓋であって、当該瓶口に冠着可能な逆有底円筒状のアルミ等の金属薄板からなる口金と、該口金の上部に冠着可能な逆有底円筒状の合成樹脂製の固定用蓋部材と、前記口金の上面に載置可能な円盤状の合成樹脂製の嵌着用蓋部材との組み合せからなり、前記口金は、円筒体からなる周胴部の上面に頂面板を一体的に形成することにより構成され、前記頂面板にはその中央部に円形の透孔が穿設され、当該円形の透孔の周縁部には、上方に向かって延在する円筒状の立上げ部が形成され、前記固定用蓋部材は、円筒体からなる周胴部の上面に頂面板を一体的に形成することにより構成され、当該頂面板の下面側の中央部には、当該固定用蓋部材を前記口金に冠着させた際に当該口金の前記透孔に挿入可能な円筒体であってその外周方向に折り曲げ可能な固定用円筒部が形成され、前記嵌着用蓋部材の下面側の中央部には、当該嵌着用蓋部材を前記口金上に載置させた際に当該口金の前記立上げ部に嵌合可能な円状の溝である嵌合溝部が形成され、前記固定用蓋部材の頂面板の上面側の中央部には、前記口金の立上げ部と略同じ大きさの円筒状突起部が形成されていることを特徴とするものである。
【００１５】
また、本発明の第４の手段は、ゴム栓によって瓶口が閉塞されている薬用瓶の蓋であって、当該瓶口に冠着可能な逆有底円筒状のアルミ等の金属薄板からなる口金と、該口金の上部に冠着可能な逆有底円筒状の合成樹脂製の蓋用ベース部材と、該蓋用ベース部材の上部に冠着可能な逆有底円筒状の合成樹脂製の固定用蓋部材と、前記蓋用ベース部材の上面に載置可能な円盤状の合成樹脂製の嵌着用蓋部材との組み合せからなり、前記口金は、円筒体からなる周胴部の上面に頂面板を一体的に形成することにより構成され、前記頂面板にはその中央部に円形の透孔が穿設され、前記蓋用ベース部材は、円筒体からなる周胴部の上面に頂面板を一体的に形成することにより構成され、当該頂面板の下面側の中央部には、当該蓋用ベース部材を前記口金に冠着させた際に当該口金の透孔に挿入可能な円筒体であってその外周方向に折り曲げ可能な固定用円筒部が形成され且つ当該固定用円筒部の内側の上部にあたる頂面板は切除されて透孔が形成されており、前記固定用蓋部材は、円筒体からなる周胴部の上面に頂面板を一体的に形成することにより構成され、当該頂面板の下面側の中央部には、当該固定用蓋部材を前記蓋用ベース部材に冠着させた際に当該蓋用ベース部材の透孔に挿入可能な円筒体であってその外周方向に折り曲げ可能な固定用円筒部が形成され、前記嵌着用蓋部材の下面側の中央部には、当該嵌着用蓋部材を前記蓋用ベース部材上に載置させた際に当該蓋用ベース部材の透孔に挿入可能な円筒体で、その長さが前記ベース部材の前記透孔の深さ未満の長さである円筒体であって且つ前記蓋用ベース部材の透孔の周縁部と着脱可能に係合する係止手段を有する係止用円筒部が形成され、前記固定用蓋部材の頂面板の上面側の中央部には、その上部に前記嵌着用蓋部材を載置させた際に、前記係止用円筒部が嵌合可能な円形溝部が形成されていることを特徴とするものである。ここで、前記嵌着用蓋部材の前記係止手段を有する係止用円筒部は、その断面が、前記嵌着用蓋部材の下面から離れるに従って前記係止用円筒部の外周方向に広がるような台形形状に形成されている係止用円筒部であってもよいし、また前記嵌着用蓋部材の前記係止手段を有する係止用円筒部は、該係止用円筒部の端縁部に外周方向に延在するように係止用リム部が形成されている係止用円筒部であってもよい。さらに、上記の構成において、前記蓋用ベース部材の固定用円筒部の長さは、前記固定用蓋部材の固定用円筒部の長さよりも長い長さに選ばれていてもよい。
【発明の効果】
【００１６】
以上のように構成された本発明によれば、薬用瓶内の薬液を多数回使用する場合、初回の使用時から最後の使用時まで薬用瓶のゴム栓の上面の汚染を防ぐことができる薬用瓶の蓋を提供することができる。
【図面の簡単な説明】
【００１７】
【図１】本発明の実施例１の構成を示す斜視図である。
【図２】薬用瓶の瓶口に装着された図１に示す実施例１の構成を示す断面図である。
【図３】本発明の実施例１の使用状態の説明図である。
【図４】本発明の実施例１の使用状態の説明図である。
【図５】本発明の実施例１の使用状態の説明図である。
【図６】本発明の実施例１の構成の説明図である。
【図７】本発明の実施例２の構成を示す斜視図である。
【図８】薬用瓶の瓶口に装着された図７に示す実施例２の構成を示す断面図である。
【図９】本発明の実施例２の構成の説明図である。
【図１０】本発明の実施例３の構成を示す斜視図である。
【図１１】薬用瓶の瓶口に装着された図１０に示す実施例３の構成を示す断面図である。
【図１２】本発明の実施例３の構成の説明図である。
【図１３】本発明の実施例４の構成を示す斜視図である。
【図１４】薬用瓶の瓶口に装着された図１３に示す実施例４の構成を示す断面図である。
【図１５】本発明の実施例４の構成の説明図である。
【図１６】本発明の実施例５の構成を示す斜視図である。
【図１７】本発明の実施例５の裏面側から視た構成を示す斜視図である。
【図１８】薬用瓶の瓶口に装着された図１６に示す実施例５の構成を示す断面図である。
【図１９】本発明の実施例５の構成の説明図である。
【図２０】従来の薬用瓶の蓋の構成を示す断面図である。
【図２１】従来の薬用瓶の蓋の構成を示す斜視図である。
【図２２】従来の薬用瓶の蓋の説明図である。
【発明を実施するための形態】
【００１８】
以下、図面を用いて本発明の実施例について説明する。
【実施例１】
【００１９】
図１は、本発明の実施例１の構成を示す斜視図であり、図２は薬用瓶１に装着された本実施例１の構成を示す断面図である。
【００２０】
本実施例１において、先に説明した従来の薬用瓶の蓋の構成と異なるところは、口金１０の透孔１３や固定用蓋部材２０に着脱自在に係合する円筒状の係止用円筒部３１が、その下面の中央部に形成されている円盤状の嵌着用蓋部材３０を具えているところである。この嵌着用蓋部材３０は、合成樹脂によって口金１０の頂面板１２と略同じ大きさとなるように構成されている。
【００２１】
また、固定用蓋部材２０の頂面板２２の上面の中央部には、係止用円筒部３１が嵌合可能な円形溝部２４が形成されている。固定用蓋部材２０のその他の構成については、先に説明した従来例と同様であるので、その説明は省略する。
【００２２】
さらに、口金１０の構成は先に説明した従来例と同様であるので、その説明は省略する。
【００２３】
以上のように構成された本実施例１においては、薬用瓶１内の薬液２を最初に使用する場合には、図３に示したように、口金１０から従来と同様に固定用蓋部材２０を外し、さらに固定用蓋部材２０から嵌着用蓋部材３０を外して、ゴム栓３に注射針を挿通させて、薬用瓶１内の薬液２を適量注射器に移動させる。その後、図４に示したように口金１０の透孔１３に嵌着用蓋部材３０の係止用円筒部３１を嵌め合わせて、口金１０に嵌着用蓋部材３０を係止させた状態にしてから冷蔵庫等に保管する。
【００２４】
以上のような状態にして保管することにより、その保管中にゴム栓３の上面が汚染されることを防ぐことができる。次回以降の使用に際しては、その都度、嵌着用蓋部材３０を脱着するようにすればよい。
【００２５】
図５は、図４に示した状態の断面構成を示した図である。また、図６（ａ）は、図５における係止用円筒部３１と口金１０との接触部分を拡大した図である。
【００２６】
本実施例１においては、係止用円筒部３１を口金１０に係止させるときに、その係止状態が確実になるような係止手段を、係止用円筒部３１は有している。即ち、この係止手段とは、図６（ａ）に示したように、係止用円筒部３１の断面が、嵌着用蓋部材３０の下面から離れるに従って係止用円筒部３１の外周方向に広がるような台形形状としてあることである。なお、この係止手段は、断面が台形形状の係止用円筒部３１に限られるものではなく、図６（ｂ）に示したように係止用円筒部３１自体は単なる円筒状に形成し、その端縁部に外周方向に延在するように係止用リム部３１ａを形成し、この係止用リム部３１ａを係止手段としてもよい。
【実施例２】
【００２７】
図７は、本発明の実施例２の構成を示す斜視図であり、図８は薬用瓶１に装着された本実施例２の構成を示す断面図である。
【００２８】
本実施例２が、実施例１と異なるところは、口金１０の透孔１３の周縁部に上方に向かって延在する円筒状の立上げ部１４が形成されているところであり、その他の構成は実施例１と同様であるのでその説明は省略する。
【００２９】
図９（ａ）は、本実施例２において、固定用蓋部材２０を口金１０から外して、嵌着用蓋部材３０の係止用円筒部３１を口金１０の透孔１３に嵌め合わせた状態を示す断面図であり、図９（ｂ）は、図９（ａ）の係止用円筒部３１と口金１０の立上げ部１４との接触部分を拡大した拡大図である。
【００３０】
図９（ｂ）に示したように、立上げ部１４が設けられている場合には、その分だけ係止用円筒部３１の長さを長くすることができるために、係止用円筒部３１と口金１０との係止状態をより確実にすることができる。
【００３１】
なお、「初回の使用時から最後の使用時まで薬用瓶のゴム栓の上面の汚染を防ぐ」という本発明の効果を得るために、本実施例においては、図９（ａ），（ｂ）に示したように、係止用円筒部３１の長さ（下方向の長さ）が、立上げ部１４の高さ未満の値に選ばれている。従って、図９（ａ）に示したように、嵌着用蓋部材３０を閉めた状態（密閉状態）においても、係止用円筒部３１がゴム栓３の上面に接触することはなく、嵌着用蓋部材３０によってゴム栓３の上面が汚染されることはない。
【実施例３】
【００３２】
図１０は、本発明の実施例３の構成を示す斜視図であり、図１１は薬用瓶１に装着された本実施例３の構成を示す断面図である。
【００３３】
本実施例３が、実施例２と異なるところは、嵌着用蓋部材３０の下面側の中央部に、口金１０の立上げ部１４に着脱自在に係合する円型形状に形成された円型状凹部３２が設けられていることと、固定用蓋部材２０の頂面板２２の上面の中央部に、口金１０の立上げ部１４と略同じ大きさの円筒状突起部２５が設けられているところであり、その他の構成は実施例２の構成と同様であるのでその説明は省略する。
【００３４】
図１２（ａ）は、本実施例３において、固定用蓋部材２０を口金１０から外して、嵌着用蓋部材３０の円型状凹部３２を口金１０の立上げ部１４に係合させた状態を示す断面図であり、図１２（ｂ）は、図１２（ａ）の円型状凹部３２の側壁面部と口金１０の立上げ部１４との接触部分を拡大した拡大図である。
【００３５】
図１２（ｂ）に示したように、このような円型状凹部３２が設けられている場合には、嵌着用蓋部材３０の下面側と口金１０の上面側とが密着状態となるように構成することができるので、嵌着用蓋部材３０を使用するときに、高い安定性を確保することができる。
【００３６】
なお、本実施例３においては、固定用蓋部材２０の円筒状突起部２５は、内部が詰まっている円柱状の突起部としてもよい。
【実施例４】
【００３７】
図１３は、本発明の実施例４の構成を示す斜視図であり、図１４は薬用瓶１に装着された本実施例４の構成を示す断面図である。
【００３８】
本実施例４が、実施例３と異なるところは、嵌着用蓋部材３０の下面側の中央部に、口金１０の立上げ部１４に着脱自在に嵌合する円状の溝である嵌合溝部３３が設けられているところであり、その他の構成は実施例３の構成と同様であるのでその説明は省略する。
【００３９】
図１５（ａ）は、本実施例４において、固定用蓋部材２０を口金１０から外して、嵌着用蓋部材３０の嵌合溝部３３を口金１０の立上げ部１４に嵌合させた状態を示す断面図であり、図１５（ｂ）は、図１５（ａ）の嵌合溝部３３の側壁面部と口金１０の立上げ部１４との接触部分を拡大した拡大図である。
【００４０】
図１５（ｂ）に示したように、このような嵌合溝部３３が設けられている場合には、嵌着用蓋部材３０の下面側と口金１０の上面側とが密着状態となるように構成することができるので、嵌着用蓋部材３０を使用するときに、高い安定性を確保することができる。
【実施例５】
【００４１】
図１６は、本発明の実施例５の構成を示す斜視図であり、図１７は、薬用瓶１に装着された本実施例５の裏面側から視た分解斜視図であり、図１８（ａ）は、薬用瓶１に装着された本実施例５の構成を示す断面図であり、図１８（ｂ）は、図１８（ａ）の透孔１３，４４の端部付近の拡大図である。
【００４２】
本実施例５が、先に説明した実施例１と異なるところは、嵌着用蓋部材３０の係止用円筒部３１と口金１０との係止状態を確実にするために、口金１０と一体的となるように口金１０に固定される蓋用ベース部材４０が配設されていることである。
【００４３】
この蓋用ベース部材４０は固定用蓋部材２０と同様に合成樹脂によって構成されており、図１６ないし図１８に示したように、円筒体の周胴部４１の上面に頂面板４２を一体的に形成した逆有底円筒状に形成されている。頂面板４２の下面側の中央部には、口金１０の透孔１３に挿入した状態で透孔１３の周縁部に当接しながら折り曲げることができる円筒状の固定用円筒部４３が突設されている。さらに、この固定用円筒部４３の内側の上部にあたる頂面板４２は切除されており、そこに透孔４４が形成されている。
【００４４】
ここで本実施例５においては、嵌着用蓋部材３０の係止用円筒部３１の外径は蓋用ベース部材４０の透孔４４に挿入可能な値に選ばれている。この係止用円筒部３１は、先に実施例１において説明したように、図６（ａ），（ｂ）に示したような係止手段を有しているものである。
【００４５】
さらに、本実施例５においては、固定用蓋部材２０の固定用円筒部２３の外径も蓋用ベース部材４０の透孔４４に挿入可能な値に選ばれている。また、本実施例５においては、図１８（ｂ）に示したように、蓋用ベース部材４０の固定用円筒部４３の長さが、固定用蓋部材２０の固定用円筒部２３の長さよりも長くなるような値に選ばれている。このような長さに固定用円筒部２３，４３を選ぶことによって、固定用蓋部材２０は上方向に強い力を加えれば蓋用ベース部材４０から外すことができ、蓋用ベース部材４０は上方向に強い力を加えても口金１０から外すことが出来ないような構成とすることができる。
【００４６】
以上のように構成された本実施例５においては、図１６に示したような状態から順次重ね合わせた状態にして、口金１０の裏側に突出している固定用円筒部２３，４３を一緒に内側から折り曲げ加圧して押し広げながら倒伏させることによって口金１０に装着し、その口金１０を薬用瓶１の瓶口１ａに装着することによって図１８（ａ），（ｂ）に示した状態に組み上げることができる。
【００４７】
本実施例５の使用に際しては、固定用蓋部材２０に上方向に強い力を加えて固定用蓋部材２０および嵌着用蓋部材３０を蓋用ベース部材４０から外し、蓋用ベース部材４０の透孔４４を通して露出しているゴム栓３に注射針を刺して内部の薬液２を適量だけ注射器内に移す。その後、嵌着用蓋部材３０を固定用蓋部材２０から外して、嵌着用蓋部材３０の係止用円筒部３１を蓋用ベース部材４０の透孔４４に嵌合させ図１９（ａ），（ｂ）に示したような状態にして、次に使用する時まで薬用瓶１を保管する。
【００４８】
なお、「初回の使用時から最後の使用時まで薬用瓶のゴム栓の上面の汚染を防ぐ」という本発明の効果を得るために、本実施例においては、図１９（ａ），（ｂ）に示したように、係止用円筒部３１の長さ（下方向の長さ）が、蓋用ベース部材４０に形成されている透孔４４の深さ未満の値に選ばれている。従って、図１９（ａ）に示したように、嵌着用蓋部材３０を閉めた状態（密閉状態）においても、係止用円筒部３１がゴム栓３の上面に接触することはなく、嵌着用蓋部材３０によってゴム栓３の上面が汚染されることはない。
【符号の説明】
【００４９】
１  薬用瓶
１ａ  瓶口
２  薬液
３  ゴム栓
１０  口金
１１，２１，４１  周胴部
１２，２２，４２  頂面板
１３，４４  透孔
１４  立上げ部
２０  固定用蓋部材
２３，４３  固定用円筒部
２４  円形溝部
２５  円筒状突起部
３０  嵌着用蓋部材
３１  係止用円筒部
３１ａ  係止用リム部
３２  円型状凹部
３３  嵌合溝部
４０  蓋用ベース部材
【図１】
0005822520.tif 000002
【図２】
0005822520.tif 000003
【図３】
0005822520.tif 000004
【図４】
0005822520.tif 000005
【図５】
0005822520.tif 000006
【図６】
0005822520.tif 000007
【図７】
0005822520.tif 000008
【図８】
0005822520.tif 000009
【図９】
0005822520.tif 000010
【図１０】
0005822520.tif 000011
【図１１】
0005822520.tif 000012
【図１２】
0005822520.tif 000013
【図１３】
0005822520.tif 000014
【図１４】
0005822520.tif 000015
【図１５】
0005822520.tif 000016
【図１６】
0005822520.tif 000017
【図１７】
0005822520.tif 000018
【図１８】
0005822520.tif 000019
【図１９】
0005822520.tif 000020
【図２０】
0005822520.tif 000021
【図２１】
0005822520.tif 000022
【図２２】
0005822520.tif 000023